(57)【要約】【課題】画像形成装置がデータに基づくプリント処理を行う場合において、ユーザーが所望する箇所だけを容易にエコプリント処理することを可能にする。【解決手段】画像形成装置１では、カラー画像領域を指定するエコプリント処理条件が操作受付部に受け付けられた場合、カラー画像領域検出部１４が当該エコプリント処理条件に従って、上記画像データにおけるカラー画像領域を検出する。対象範囲検出部１３は、カラー画像領域検出部１４が検出したカラー画像領域をエコプリント対象範囲とする。制御部１１は、当該エコプリント対象範囲について、エコプリント処理を印刷部２２に行わせる。【選択図】図１
2018187870.tif 000002
【特許請求の範囲】
【請求項１】
第１の表示部と、
ユーザーからの操作指示を受け付ける第１の操作受付部と、
原稿の画像データを取得するデータ取得部と、
記録媒体に対して、プリントコストの低減を行わない通常のプリント処理及び当該通常のプリント処理よりもプリントコストを低減したエコプリント処理を行う印刷部と、
前記画像データに対する、前記エコプリント処理での条件を示すエコプリント処理条件の指定を促す表示を前記第１の表示部に行わせる第１の表示制御部と、
前記第１の操作受付部において、前記エコプリント処理条件の指定が受け付けられた場合、当該エコプリント処理条件に従って、前記エコプリント処理の対象とするエコプリント対象範囲を検出する対象範囲検出部と、
前記対象範囲検出部が前記エコプリント対象範囲を検出した場合、当該エコプリント対象範囲について、前記エコプリント処理を前記印刷部に行わせる第１の制御部と、を備える画像形成装置。
【請求項２】
前記画像データにおいて、カラーの画素を判別することにより、当該カラーの画素で構成される領域をカラー画像領域として検出するカラー画像領域検出部と、
前記カラー画像領域検出部が検出した前記カラー画像領域の大きさを判別する領域大きさ判別部と、を更に備え、
前記対象範囲検出部は、前記エコプリント処理条件に前記カラー画像領域の大きさについての設定値が含まれている場合、前記領域大きさ判別部が判別した前記カラー画像領域の大きさが前記設定値以上であるときに、当該設定値以上のカラー画像領域を前記エコプリント対象範囲とする請求項１に記載の画像形成装置。
【請求項３】
前記画像データから矩形領域を検出する矩形領域検出部を更に備え、
前記カラー画像領域検出部は、前記矩形領域検出部が検出した前記矩形領域に含まれる前記カラー画像領域を検出し、
前記領域大きさ判別部は、前記矩形領域検出部が検出した前記矩形領域に含まれる前記カラー画像領域の大きさを判別し、
前記対象範囲検出部は、前記エコプリント処理条件に前記カラー画像領域の大きさについてのセット値が含まれている場合、前記領域大きさ判別部が判別した前記カラー画像領域の大きさが前記セット値以上であるときに、当該セット値以上のカラー画像領域を前記エコプリント対象範囲とする請求項２に記載の画像形成装置。
【請求項４】
前記領域大きさ判別部は、前記カラー画像領域検出部が二つの前記カラー画像領域を検出した場合、当該二つのカラー画像領域の離間距離が予め定められた距離よりも小さいときには、当該二つのカラー画像領域を、一つの前記カラー画像領域として判別する請求項２又は請求項３に記載の画像形成装置。
【請求項５】
前記対象範囲検出部は、前記エコプリント処理条件に従って、前記画像データにおいて前記カラー画像領域以外の領域を前記エコプリント対象範囲とする請求項２乃至請求項４のいずれかに記載の画像形成装置。
【請求項６】
前記画像データに対して、ＯＣＲ処理を行うことにより、テキストを検出するテキスト検出部と、
前記テキスト検出部が検出したテキストのフォントサイズを判別するフォントサイズ判別部と、を更に備え、
前記対象範囲検出部は、前記エコプリント処理条件に前記テキストのフォントサイズについてのサイズ値が含まれている場合、前記フォントサイズ判別部が判別した前記テキストのフォントサイズが前記サイズ値以上であるときに、当該サイズ値以上のフォントサイズを有するテキストを、前記エコプリント対象範囲とする請求項１乃至請求項５のいずれかに記載の画像形成装置。
【請求項７】
前記対象範囲検出部は、前記エコプリント処理条件に前記エコプリント対象範囲の指定範囲が含まれている場合、当該指定範囲を、前記エコプリント対象範囲とする請求項１乃至請求項６のいずれかに記載の画像形成装置。
【請求項８】
画像形成装置と、情報処理装置とを備えた画像形成システムであって、
前記画像形成装置は、請求項１乃至請求項７のいずれかに記載の画像形成装置であり、前記情報処理装置との間でデータ通信を行う第１の通信部を更に備え、
前記情報処理装置は、
第２の表示部と、
ユーザーからの操作指示を受け付ける第２の操作受付部と、
前記画像形成装置との間でデータ通信を行う第２の通信部と、
前記画像形成装置でのプリント処理の対象となるドキュメントデータの指定と、当該ドキュメントデータに対する、前記エコプリント処理条件の指定とを促す表示を前記第２の表示部に行わせる第２の表示制御部と、
前記第２の操作受付部が受け付けた前記ドキュメントデータを前記画像形成装置に適したプリンター言語からなるプリントデータに変換するとともに、当該プリントデータと、前記第２の操作受付部が受け付けた前記エコプリント処理条件とを含んだプリントジョブファイルを作成するプリンタードライバー部と、
前記プリンタードライバー部が前記プリントジョブファイルを作成した場合、当該プリントジョブファイルを、前記第２の通信部から送信させる第２の制御部と、を備え、
前記画像形成装置の前記対象範囲検出部は、前記第１の通信部が前記プリントジョブファイルを受信した場合、当該プリントジョブファイルに含まれた前記エコプリント処理条件に従って、前記プリントデータでの前記エコプリント処理の対象とするエコプリント対象範囲を検出する画像形成システム。
【発明の詳細な説明】
【技術分野】
【０００１】
本発明は、画像形成装置及び画像形成システムに関し、特にエコプリント処理を画像形成装置に行わせる技術に関する。
【背景技術】
【０００２】
画像形成システムでは、ネットワーク上の画像形成装置に対して、パーソナルコンピューターなどの情報処理装置が指示を出すことにより、当該画像形成装置において印刷処理を実行する技術が提案されている。また、画像形成装置では、トナーの消費量の削減を行うことにより、通常のプリント処理よりもプリントコストを低減したエコプリント処理を行う技術が提案されている。
【０００３】
例えば、特許文献１には、画像データが文字領域のものか写真領域のものかを認識する手段と、文字領域にはマスクモードによるエコプリント処理を設定し、写真領域には光量モードによるエコプリント処理を設定する手段を有する技術が提案されている。また、特許文献２には、画像データにおける各画素の値に基づいて、複数の画素属性のそれぞれについてトナー消費量を計算する。そして、総トナー消費量が所定の基準値を超えている場合、複数の画素属性のすべてについてのトナー消費量を下げる技術が提案されている。
【先行技術文献】
【特許文献】
【０００４】
【特許文献１】特開２００１−０３４１１８号公報
【特許文献２】特開２０１４−０４４２９０号公報
【発明の概要】
【発明が解決しようとする課題】
【０００５】
しかしながら、上記のような従来技術では、画像形成装置において、プリント処理されるデータのうち、ユーザーが所望する箇所だけをエコプリント処理することはできない。
【０００６】
本発明は、上記の事情に鑑みてなされたものであり、画像形成装置がデータに基づくプリント処理を行う場合において、ユーザーが所望する箇所だけを容易にエコプリント処理することを可能にすることを目的とする。
【課題を解決するための手段】
【０００７】
本発明の一局面に係る画像形成装置は、第１の表示部と、ユーザーからの操作指示を受け付ける第１の操作受付部と、原稿の画像データを取得するデータ取得部と、記録媒体に対して、プリントコストの低減を行わない通常のプリント処理及び当該通常のプリント処理よりもプリントコストを低減したエコプリント処理を行う印刷部と、前記画像データに対する、前記エコプリント処理での条件を示すエコプリント処理条件の指定を促す表示を前記第１の表示部に行わせる第１の表示制御部と、前記第１の操作受付部において、前記エコプリント処理条件の指定が受け付けられた場合、当該エコプリント処理条件に従って、前記エコプリント処理の対象とするエコプリント対象範囲を検出する対象範囲検出部と、前記対象範囲検出部が前記エコプリント対象範囲を検出した場合、当該エコプリント対象範囲について、前記エコプリント処理を前記印刷部に行わせる第１の制御部と、を備えるものである。
【０００８】
また、本発明の他の一局面に係る画像形成システムは、画像形成装置と、情報処理装置とを備えた画像形成システムであって、前記画像形成装置は、上記画像形成装置であり、前記情報処理装置との間でデータ通信を行う第１の通信部を更に備え、前記情報処理装置は、第２の表示部と、ユーザーからの操作指示を受け付ける第２の操作受付部と、前記画像形成装置との間でデータ通信を行う第２の通信部と、前記画像形成装置でのプリント処理の対象となるドキュメントデータの指定と、当該ドキュメントデータに対する、前記エコプリント処理条件の指定とを促す表示を前記第２の表示部に行わせる第２の表示制御部と、前記第２の操作受付部が受け付けた前記ドキュメントデータを前記画像形成装置に適したプリンター言語からなるプリントデータに変換するとともに、当該プリントデータと、前記第２の操作受付部が受け付けた前記エコプリント処理条件とを含んだプリントジョブファイルを作成するプリンタードライバー部と、前記プリンタードライバー部が前記プリントジョブファイルを作成した場合、当該プリントジョブファイルを、前記第２の通信部から送信させる第２の制御部と、を備え、前記画像形成装置の前記対象範囲検出部は、前記第１の通信部が前記プリントジョブファイルを受信した場合、当該プリントジョブファイルに含まれた前記エコプリント処理条件に従って、前記プリントデータでの前記エコプリント処理の対象とするエコプリント対象範囲を検出するものである。
【発明の効果】
【０００９】
本発明によれば、画像形成装置がデータに基づくプリント処理を行う場合において、ユーザーが所望する箇所だけを容易にエコプリント処理することを可能にする。
【図面の簡単な説明】
【００１０】
【図１】本発明の第１実施形態に係る画像形成装置の要部構成を示す機能ブロック図である。
【図２】画像形成装置での処理の流れを示すフローチャートである。
【図３】画像形成装置の表示部に表示される表示画面の一例を示した図である。
【図４】画像形成装置の表示部に表示される表示画面の一例を示した図である。
【図５】エコプリント処理の対象とする原稿の一例を示した図である。
【図６】第１実施形態に係る画像形成装置において、エコプリント処理された記録紙の一例を示した図である。
【図７】本発明の第２実施形態に係る画像形成装置の要部構成を示す機能ブロック図である。
【図８】第２実施形態における画像形成装置での処理の流れを示すフローチャートである。
【図９】図８に示した（１）からの処理を示すフローチャートである。
【図１０】画像形成装置の表示部に表示される表示画面の一例を示した図である。
【図１１】（Ａ）及び（Ｂ）は、図７に示した領域大きさ判別部での処理動作の一例を説明する図である。
【図１２】（Ａ）及び（Ｂ）は、図７に示した領域大きさ判別部での処理動作の一例を説明する図である。
【図１３】第２実施形態に係る画像形成装置において、エコプリント処理された記録紙の一例を示した図である。
【図１４】本発明の第３実施形態に係る画像形成装置の要部構成を示す機能ブロック図である。
【図１５】第３実施形態における画像形成装置での処理の流れを示すフローチャートである。
【図１６】図１５に示した（２）からの処理を示すフローチャートである。
【図１７】第３実施形態に係る画像形成装置において、エコプリント処理された記録紙の一例を示した図である。
【図１８】第４実施形態に係る画像形成装置において、エコプリント処理された記録紙の一例を示した図である。
【図１９】本発明の第５実施形態に係る画像形成装置の要部構成を示す機能ブロック図である。
【図２０】第５実施形態における画像形成装置での処理の流れを示すフローチャートである。
【図２１】画像形成装置の表示部に表示される表示画面の一例を示した図である。
【図２２】第５実施形態に係る画像形成装置において、エコプリント処理された記録紙の一例を示した図である。
【図２３】本発明の第６実施形態に係る画像形成装置の要部構成を示す機能ブロック図である。
【図２４】第６実施形態における画像形成装置での処理の流れを示すフローチャートである。
【図２５】画像形成装置の表示部に表示される表示画面の一例を示した図である。
【図２６】第６実施形態に係る画像形成装置において、エコプリント処理された記録紙の一例を示した図である。
【図２７】本発明の第７実施形態に係る画像形成装置を用いた画像形成システムの全体を示す図である。
【図２８】第７実施形態に係る画像形成装置の要部構成を示す機能ブロック図である。
【図２９】情報処理装置の要部構成を示す機能ブロック図である。
【図３０】情報処理装置での処理の流れを示すフローチャートである。
【図３１】情報処理装置の表示部に表示される表示画面の一例を示した図である。
【図３２】情報処理装置の表示部に表示される表示画面の一例を示した図である。
【図３３】第７実施形態における画像形成装置での処理の流れを示すフローチャートである。
【図３４】図３３に示した（３）からの処理を示すフローチャートである。
【図３５】図３３に示した（４）からの処理を示すフローチャートである。
【図３６】第７実施形態に係る画像形成装置において、エコプリント処理された記録紙の一例を示した図である。
【発明を実施するための形態】
【００１１】
以下、本発明に係る画像形成装置及び画像形成システムを示す一実施形態について図面を参照して説明する。まず、図１乃至図２６を参照して、本発明の画像形成装置について具体的に説明する。
【００１２】
＜第１実施形態＞
図１を参照して、本実施形態の画像形成装置１について具体的に説明する。図１は、本発明の第１実施形態に係る画像形成装置の要部構成を示す機能ブロック図である。
【００１３】
図１に示すように、画像形成装置１は、例えば、コピー機能、プリンター機能、スキャナー機能、及びファクシミリ機能のような複数の機能を兼ね備えた複合機である。画像形成装置１は、制御ユニット１０を備える。制御ユニット１０は、ＣＰＵ、ＲＡＭ、ＲＯＭ及び専用のハードウェア回路等から構成され、画像形成装置１の全体的な動作制御を司る。
【００１４】
また、画像形成装置１は、原稿読取部２０、原稿給送部２１、印刷部２２、画像メモリー２３、画像処理部２４、表示部３０、タッチパネル３１、操作部３２、通信部３３、及び記憶部３４を備えて構成されている。
【００１５】
画像形成装置１が原稿読取動作を行う場合、原稿給送部２１により給送されてくる原稿の画像等を原稿読取部２０が光学的に読み取り、画像データを生成する。
【００１６】
画像形成装置１が画像形成動作（すなわち、印刷動作）を行う場合は、上記原稿読取動作により生成された画像データ等に基づいて、制御ユニット１０の後述の制御部が、図略の給紙カセット等から給紙される記録媒体としての記録紙に対する印刷処理を印刷部２２に実行させて、当該記録紙上に画像を形成する。
【００１７】
原稿読取部２０は、制御ユニット１０による制御の下、光照射部及びＣＣＤセンサー等を有する読取機構を備える（図示せず）。原稿読取部２０は、光照射部により原稿を照射し、その反射光をＣＣＤセンサーで受光することにより、原稿から画像を読み取り、画像データを生成する。なお、原稿読取部２０は、特許請求の範囲におけるデータ取得部の一例である。
【００１８】
画像メモリー２３は、原稿読取部２０による読取で得られた原稿画像の画像データを一時的に記憶したり、印刷部２２のプリント対象となるプリント処理（印刷処理）用のデータを一時的に保存したりする領域である。
【００１９】
画像処理部２４は、画像メモリー２３から原稿読取部２０で読み取られた画像を読み出して画像処理する。例えば、画像処理部２４は、原稿読取部２０により読み取られた画像が印刷部２２により画像形成された後の品質を向上させるために、シェーディング補正等の予め定められた画像処理を行う。
【００２０】
印刷部２２は、原稿読取部２０で読み取られた画像データ等の画像形成を行う。具体的には、印刷部２２が例えばカラー印刷を行う場合、印刷部２２のマゼンタ用の画像形成ユニット、シアン用の画像形成ユニット、イエロー用の画像形成ユニット、及びブラック用の画像形成ユニットは、それぞれに、上記印刷用データを構成するそれぞれの色成分からなる画像に基づいて、帯電、露光、及び現像の工程により感光体ドラム上にトナー像を形成し、当該トナー像を一次転写ローラーにより中間転写ベルト上に転写させる（図示せず）。
【００２１】
上記の中間転写ベルト上に転写される上記各色のトナー画像は、転写タイミングを調整して中間転写ベルト上で重ね合わされ、カラーのトナー像となる。２次転写ローラーは、中間転写ベルトの表面に形成された当該カラーのトナー像を、中間転写ベルトを挟んで駆動ローラーとのニップ部において、上記の給紙部から搬送路を搬送されてきた記録紙に転写させる（図示せず）。この後、定着部が、記録紙上のトナー像を、熱圧着により記録紙に定着させる（図示せず）。定着処理の完了したカラー画像形成済みの記録紙は、図略の排出トレイに排出される。
【００２２】
また、印刷部２２は、上記制御部による制御のもと、記録紙に対して、プリントコストの低減を行わない通常のプリント処理及び当該通常のプリント処理よりもプリントコストを低減したエコプリント処理を行う。例えば、エコプリント処理では、上記画像データ等に含まれたモノクロ画像については、当該モノクロ画像に含まれたブラック画素での画素値（つまり、トナー濃度）を下げることにより、ブラックのトナーの消費量を低減した状態で印刷処理が行われる。また、エコプリント処理では、上記画像データ等に含まれたカラー画像については、当該カラー画像をモノクロ画像に変更又は当該カラー画像に含まれたカラー画素での画素値を下げることにより、カラーのトナーの消費量を低減した状態で印刷処理が行われる。
【００２３】
表示部３０は、液晶ディスプレイや有機ＥＬディスプレイ等から構成される。尚、表示部３０は、特許請求の範囲における第１の表示部の一例である。
【００２４】
表示部３０の前面には、タッチパネル３１が配置されている。タッチパネル３１は、所謂抵抗膜方式や静電容量方式等のタッチパネルであって、タッチパネル３１上におけるユーザーによる接触（タッチ）をその接触位置とともに検知する。タッチパネル３１は、ユーザーによる接触を検知すると、その接触点の座標位置を示す検知信号を後述の制御部１１などに出力する。
【００２５】
操作部３２は、例えば、メニューを呼び出すメニューキー、メニューを構成するＧＵＩのフォーカスを移動させる矢印キー、メニューを構成するＧＵＩに対して確定操作を行う決定キー等を備えるハードキーである。尚、タッチパネル３１と操作部３２とは、特許請求の範囲における第１の操作受付部の一例である。
【００２６】
通信部３３は、ＬＡＮボード等の通信モジュールを有しており、上記制御部１１等の制御のもと、当該通信部３３に接続されたネットワークを通じて、情報処理装置等との間で種々のデータ通信を行う。なお、通信部３３は、特許請求の範囲における第１の通信部の一例である。
【００２７】
記憶部３４は、ＨＤＤ（Hard Disk Drive）やＳＳＤ（Solid State Drive）等の大容量の記憶装置である。
【００２８】
制御ユニット１０は、ＣＰＵ、ＲＯＭ及びＲＡＭ等からなり、画像形成装置１の全体的な動作を司る。制御ユニット１０は、制御部１１、表示制御部１２、対象範囲検出部１３、及びカラー画像領域検出部１４を備えている。
【００２９】
制御ユニット１０は、プロセッサー、ＲＡＭ(Random Access Memory）、及びＲＯＭ（Read Only Memory）などから構成される。プロセッサーは、例えば、ＣＰＵ（Central Processing Unit）、ＭＰＵ、ＡＳＩＣである。この制御ユニット１０は、上記記憶部３４等に記憶された印刷実行プログラムが上記のプロセッサーで実行されることにより、制御部１１、表示制御部１２、対象範囲検出部１３、及びカラー画像領域検出部１４として機能する。尚、制御部１１、表示制御部１２、対象範囲検出部１３、及びカラー画像領域検出部１４は、上記印刷実行プログラムに基づく動作によらず、それぞれハード回路により構成されてもよい。以下、特に触れない限り、各実施形態について同様である。
【００３０】
制御部１１は、画像形成装置１の全体的な動作を司るものであり、原稿読取部２０、原稿給送部２１、印刷部２２、画像メモリー２３、画像処理部２４、表示部３０、タッチパネル３１、操作部３２、通信部３３、及び記憶部３４等と接続され、これら各部の駆動制御を行う。なお、制御部１１は、特許請求の範囲における第１の制御部の一例である。
【００３１】
表示制御部１２は、表示部３０の表示制御を行う。また、表示制御部１２は、上記画像データに対する、エコプリント処理での条件を示すエコプリント処理条件の指定を促す表示を表示部３０に行わせる。尚、表示制御部１２は、特許請求の範囲における第１の表示制御部の一例である。
【００３２】
対象範囲検出部１３は、上記第１の操作受付部において、エコプリント処理条件の指定が受け付けられた場合、当該エコプリント処理条件に従って、原稿読取部２０で生成された上記画像データでのエコプリント処理の対象とするエコプリント対象範囲を検出する。
【００３３】
カラー画像領域検出部１４は、エコプリント処理条件に従って、上記画像データでのカラー画像領域を検出する。例えば、このカラー画像領域検出部１４は、既知の技術により、画像データでのカラー画像領域を検出する。つまり、カラー画像領域検出部１４は、画像データに含まれた画素において、イエロー、マゼンタ、シアン、及びブラックの各画素値を判断することによって、ブラックの画素以外であるカラーの画素を判別して、当該カラーの画素からなる上記カラー画像領域を検出する。そして、対象範囲検出部１３は、カラー画像領域検出部１４が検出したカラー画像領域を上記エコプリント対象範囲として、画像メモリー２３等に記憶させる。
【００３４】
また、制御部１１は、対象範囲検出部１３がエコプリント対象範囲を検出した場合、当該エコプリント対象範囲について、上記エコプリント処理を印刷部２２に行わせる。つまり、制御部１１は、上記画像データにおいて、対象範囲検出部１３が検出したエコプリント対象範囲のデータ部分に基づくエコプリント処理を印刷部２２に行わせ、当該エコプリント対象範囲以外のデータ部分に基づく上記通常のプリント処理を印刷部２２に行わせる。
【００３５】
次に、図２を参照して、本実施形態の画像形成装置１の動作について具体的に説明する。図２は、画像形成装置での処理の流れを示すフローチャートである。尚、以下の説明では、図５に示す原稿Ｇが原稿読取部２０で読み取られて、印刷部２２でエコプリント処理が行われる場合を主に説明する。また、図５において、点線で囲んだ領域Ｐ１、Ｐ２、Ｐ５、及びＰ６は、上記カラーの画素によって構成されたカラー画像領域であるとし、更にこれらの領域Ｐ１、Ｐ２、Ｐ５、及びＰ６は、図５に実線にて示すように、矩形領域（正方形や長方形を含む四角形領域）に含まれている。また、点線で囲んだ領域Ｐ３、Ｐ４、Ｐ７、及びＰ８は、ブラックの画素からなるテキストの領域であるとする（図３２に示す原稿Ｇでも、同様。）。
【００３６】
図２に示すように、制御部１１は、ユーザーにより、エコプリント処理の実行を指示する要求を上記操作受付部が受け付けたかどうかを判別する（Ｓ１）。例えば、制御部１１は、表示制御部１２が、図３に示すように、ユーザーに処理動作の指示を促す表示を表示部３０に行わせたときに、エコプリント処理キー３１Ａがユーザーに指定されたかどうかを検出することにより、エコプリント処理の実行を指示する要求が行われたかどうかを判別する。制御部１１は、エコプリント処理キー３１Ａが指定されたことをタッチパネル３１が検出していなければ（Ｓ１でＮＯ）、Ｓ２には進まずに、画像形成装置１を待機状態とする。
【００３７】
一方、制御部１１は、ユーザーによりエコプリント処理キー３１Ａが指定され、タッチパネル３１により受け付けられたことを検出した場合（Ｓ１でＹＥＳ）、エコプリント処理の実行が要求されたと判断する。そして、表示制御部１２は、例えば、図４に示すように、エコプリント処理条件の指定を促す表示を表示部３０に行わせる（Ｓ２）。すなわち、表示制御部１２は、図４の表示画面に示すように、エコプリント処理条件をユーザーに指定させるためのカラー画像領域キー３１Ｂ、領域大きさ指定キー３１Ｃ、矩形領域キー３１Ｄ、テキストキー３１Ｅ、フォントサイズ指定キー３１Ｆ、及び範囲指定キー３１Ｇを表示部３０に表示させる。但し、本実施形態では、後述するように、カラー画像領域キー３１Ｂが指定された場合に、制御部１１はエコプリント処理条件がユーザーに指定されたと判断する。また、領域大きさ指定キー３１Ｃ、矩形領域キー３１Ｄ、テキストキー３１Ｅ、フォントサイズ指定キー３１Ｆ、及び範囲指定キー３１Ｇは、それぞれ後掲の第２〜第６実施形態において、ユーザーによってエコプリント処理条件として指定される（詳細は後述。）。
【００３８】
そして、制御部１１は、ユーザーにより、エコプリント処理条件の指定を上記操作受付部が受け付けたかどうかを判別する（Ｓ３）。例えば、制御部１１は、図４に示した表示画面において、カラー画像領域キー３１Ｂの指定が行われたことをタッチパネル３１が検出していなければ（Ｓ３でＮＯ）、Ｓ４には進まずに、画像形成装置１を待機状態とする。
【００３９】
一方、制御部１１は、ユーザーによりカラー画像領域キー３１Ｂが指定されたことをタッチパネル３１が検出した場合（Ｓ３でＹＥＳ）、エコプリント処理条件としてカラー画像領域が指定されたと判断する。そして、カラー画像領域検出部１４は、原稿読取部２０で読み取られた上記原稿Ｇの画像データを画像メモリー２３から読み出して、既知のカラー画像領域の判別方法、例えば当該画像データにおいてカラーの画素を判別することにより、当該カラーの画素で構成される領域をカラー画像領域として検出する（Ｓ４）。これにより、図５に示した原稿Ｇにおいて、カラー画像領域検出部１４がカラー画像領域Ｐ１、Ｐ２、Ｐ５、及びＰ６を検出する。
【００４０】
続いて、対象範囲検出部１３は、カラー画像領域検出部１４が検出したカラー画像領域Ｐ１、Ｐ２、Ｐ５、及びＰ６を、上記エコプリント対象範囲として検出する（Ｓ５）。
【００４１】
そして、制御部１１は、原稿Ｇの画像データに基づくプリント処理を印刷部２２に行わせる（Ｓ６）。すなわち、制御部１１は、エコプリント対象範囲であるカラー画像領域Ｐ１、Ｐ２、Ｐ５、及びＰ６の各データ部分に基づくエコプリント処理を印刷部２２に行わせ、当該エコプリント対象範囲以外の領域、すなわちテキストの領域Ｐ３、Ｐ４、Ｐ７、及びＰ８の各データ部分に基づく上記通常のプリント処理を印刷部２２に行わせる。この結果、図６に示す記録紙Ｐにおいて、同図６に二点鎖線にて囲んだカラー画像領域Ｐ１、Ｐ２、Ｐ５、及びＰ６では、エコプリント処理が行われて、例えばブラックのモノクロの色で当該カラー画像領域Ｐ１、Ｐ２、Ｐ５、及びＰ６内の画像が印刷されている。
【００４２】
以上のように本実施形態では、カラー画像領域を指定するエコプリント処理条件が上記操作受付部に受け付けられた場合、カラー画像領域検出部１４が当該エコプリント処理条件に従って、上記画像データにおけるカラー画像領域を検出する。対象範囲検出部１３は、カラー画像領域検出部１４が検出したカラー画像領域をエコプリント対象範囲とする。制御部１１は、当該エコプリント対象範囲について、エコプリント処理を印刷部２２に行わせる。このように、本実施形態では、上記従来例と異なり、画像形成装置１がデータに基づくプリント処理を行う場合において、ユーザーが所望する箇所だけを容易にエコプリント処理することを可能にする。
【００４３】
＜第２実施形態＞
次に、図７を参照して、本発明の第２実施形態に係る画像形成装置について具体的に説明する。図７は、本発明の第２実施形態に係る画像形成装置の要部構成を示す機能ブロック図である。尚、上記第１実施形態と同様の構成については説明を省略する。
【００４４】
図７に示すように、本実施形態の画像形成装置１では、領域大きさ判別部１５が制御ユニット１０に設けられている。この領域大きさ判別部１５は、カラー画像領域検出部１４が検出したカラー画像領域の大きさを判別する。
【００４５】
また、本実施形態の画像形成装置１では、対象範囲検出部１３は、エコプリント処理条件にカラー画像領域の大きさについての設定値が含まれている場合、領域大きさ判別部１５が判別したカラー画像領域の大きさが当該設定値以上であるときに、当該設定値以上のカラー画像領域をエコプリント対象範囲とする。また、対象範囲検出部１３は、領域大きさ判別部１５が判別したカラー画像領域の大きさが上記設定値未満であるときは、当該設定値未満のカラー画像領域をエコプリント対象範囲としない。このため、制御部１１は、設定値未満のカラー画像領域については、通常のプリント処理を行わせる。
【００４６】
次に、図８及び図９を参照して、第２実施形態に係る画像形成装置１での処理動作について具体的に説明する。図８は、第２実施形態における画像形成装置での処理の流れを示すフローチャートである。図９は、図８に示した（１）からの処理を示すフローチャートである。
【００４７】
制御部１１は、上記Ｓ３において、エコプリント処理条件の指定を上記操作受付部が受け付けたかどうかを判別するときに、図４に示した表示画面において、領域大きさ指定キー３１Ｃの指定が行われたことをタッチパネル３１が検出していなければ（Ｓ３でＮＯ）、Ｓ４には進まずに、画像形成装置１を待機状態とする。
【００４８】
一方、制御部１１は、ユーザーにより領域大きさ指定キー３１Ｃが指定されたことをタッチパネル３１が検出した場合（Ｓ３でＹＥＳ）、エコプリント処理条件としてカラー画像領域が指定され、更にカラー画像領域の大きさが指定されると判断する。そして、カラー画像領域検出部１４は、原稿読取部２０で読み取られた上記原稿Ｇの画像データを画像メモリー２３から読み出して、当該画像データにおいてブラックの画素以外のカラーの画素を判別することにより、カラー画像領域を検出する（Ｓ４）。これにより、図５に示した原稿Ｇにおいて、カラー画像領域Ｐ１、Ｐ２、Ｐ５、及びＰ６がカラー画像領域検出部１４によって検出される。
【００４９】
続いて、表示制御部１２は、例えば、図１０に示すように、カラー画像領域の大きさについての設定値の指定を促す表示を表示部３０に行わせる（Ｓ７）。つまり、表示制御部１２は、図１０の表示画面に示すように、ユーザーがカラー画像領域の大きさを指定するための指定欄３１Ｃ１と、当該大きさでの単位を指定するプルダウンメニュー３１Ｃ２を表示部３０に表示させる。そして、制御部１１は、ユーザーにより、カラー画像領域の大きさについての設定値の指定を上記操作受付部が受け付けたかどうかを判別する（Ｓ８）。例えば、制御部１１は、図１０に示した表示画面において、指定欄３１Ｃ１に対して、ユーザーが図略のテンキー等を用いることにより、大きさの値の指定が行われたことをタッチパネル３１が検出していなければ（Ｓ８でＮＯ）、Ｓ９には進まずに、画像形成装置１を待機状態とする。
【００５０】
一方、制御部１１は、ユーザーにより、指定欄３１Ｃ１に対して、例えば、「０．５」の値が指定され、更にはプルダウンメニュー３１Ｃ２が押下されて、「ｃｍ2」が指定されたことをタッチパネル３１により受け付けられたことを検出した場合（Ｓ８でＹＥＳ）、エコプリント処理条件として０．５ｃｍ2以上のカラー画像領域が指定されたと判断する。そして、領域大きさ判別部１５は、カラー画像領域検出部１４によって検出されたカラー画像領域Ｐ１、Ｐ２、Ｐ５、及びＰ６の各大きさを判別する（Ｓ９）。
【００５１】
続いて、領域大きさ判別部１５は、大きさを判別したカラー画像領域が二つ以上存在するか否かについて判別する（Ｓ１０）。そして、対象範囲検出部１３は、大きさを判別したカラー画像領域が一つであることを領域大きさ判別部１５が判別したときは（Ｓ１０でＮＯ）、当該カラー画像領域の大きさが上記Ｓ８で指定された設定値以上か否かについて判別する（Ｓ１１）。その後、対象範囲検出部１３は、カラー画像領域の大きさが設定値未満であることを判別したときは（Ｓ１１でＮＯ）、当該カラー画像領域はエコプリント対象範囲に該当しないと判断して、処理を終了する。
【００５２】
一方、対象範囲検出部１３は、カラー画像領域の大きさが設定値以上であることを判別したときは（Ｓ１１でＹＥＳ）、当該カラー画像領域を、エコプリント対象範囲として検出する（Ｓ１２）。そして、制御部１１は、Ｓ１２でエコプリント対象範囲として検出したカラー画像領域のデータ部分に基づくエコプリント処理を印刷部２２に行わせ、当該エコプリント対象範囲以外の領域のデータ部分に基づく上記通常のプリント処理を印刷部２２に行わせる（Ｓ１３）。
【００５３】
また、領域大きさ判別部１５は、大きさを判別したカラー画像領域が二つ以上であることを判別したときは（Ｓ１０でＹＥＳ）、隣接する二つのカラー画像領域の離間距離が予め定められた距離よりも小さいかどうかを判別する（Ｓ１４）。そして、領域大きさ判別部１５は、隣接する二つのカラー画像領域の離間距離が予め定められた距離よりも小さいことを判別すれば（Ｓ１４でＹＥＳ）、当該二つのカラー画像領域を一つのカラー画像領域と判定する（Ｓ１５）。一方、領域大きさ判別部１５は、隣接する二つのカラー画像領域の離間距離が予め定められた距離以上であることを判別すれば（Ｓ１４でＮＯ）、当該二つのカラー画像領域を、一つのカラー画像領域とは判定せずに、互いに独立した二つのカラー画像領域と判定する（Ｓ１６）。
【００５４】
ここで、図１１〜図１２を参照して、領域大きさ判別部１５での上記Ｓ１４〜Ｓ１６の処理動作について具体的に説明する。図１１（Ａ）及び図１１（Ｂ）は、図７に示した領域大きさ判別部での処理動作の一例を説明する図である。図１２（Ａ）及び図１２（Ｂ）は、図７に示した領域大きさ判別部での処理動作の一例を説明する図である。尚、以下の説明では、上記予め定められた距離として１０１画素（ピクセル）の寸法が設定されているものとして説明する。
【００５５】
図１１（Ａ）において、例えば、１００画素のイエローの画素からなるイエロー画素ブロックＣＡ１が同図の縦方向に４個、及び横方向に４個、合計１６個が隣接して存在している場合、領域大きさ判別部１５は、これら１６個のイエロー画素ブロックＣＡ１を一つのイエローのカラー画像領域と判別する。また、例えば、１００画素のマゼンタの画素からなるマゼンタ画素ブロックＣＡ２が同図の縦方向に４個、及び横方向に４個、合計１６個が隣接して存在している場合、領域大きさ判別部１５は、これら１６個のマゼンタ画素ブロックＣＡ２を一つのマゼンタのカラー画像領域と判別する。また、例えば、１００画素のシアンの画素からなるシアン画素ブロックＣＡ３が同図の縦方向に４個、及び横方向に８個、合計３２個が隣接して存在している場合、領域大きさ判別部１５は、これら３２個のシアン画素ブロックＣＡ３を一つのシアンのカラー画像領域と判別する。更に、領域大きさ判別部１５は、判別したイエロー、マゼンタ、及びシアンの各カラー画像領域が互いに空隙を設けることなく存在していることを判別すると、これらイエロー、マゼンタ、及びシアンのカラー画像領域を、一つのカラー画像領域として判別する。このため、対象範囲判別部１３は、当該一つのカラー画像領域を、エコプリント対象範囲として検出する。そして、制御部１１は、上記一つのカラー画像領域のデータ部分に基づくエコプリント処理を印刷部２２に行わせる。この結果、図１１（Ｂ）に示すように、イエロー、マゼンタ、及びシアンの各カラー画像領域では、例えば、対応する色のトナーの消費量が低減されたエコプリント処理が施されて、印刷される。
【００５６】
また、図１２（Ａ）において、例えば、同図の縦方向に２個、及び横方向に２個ずつ隣接した４個のイエロー画素ブロックＣＡ１と、横方向に４個隣接するとともに、右端のイエロー画素ブロックＣＡ１に対して、縦方向に３個隣接した７個のイエロー画素ブロックＣＡ１とが、同図にハッチングなしで示す１００画素からなる空隙画素ブロック（すなわち、ブラック画素ブロック又はいずれの色のトナーも使用されずに印刷が行われない画素ブロック）Ｋを介して存在している場合、領域大きさ判別部１５は、これら４個及び７個の各イエロー画素ブロックＣＡ１を一つのイエローのカラー画像領域と判別する。更に、領域大きさ判別部１５は、４個のイエロー画素ブロックＣＡ１と７個のイエロー画素ブロックＣＡ１との離間距離が空隙画素ブロックＫの寸法、つまり予め定められた距離よりも小さいことを判別すると、これら４個及び７個のイエロー画素ブロックＣＡ１を一つのイエローのカラー画像領域と判別する。
【００５７】
また、図１２（Ａ）において、例えば、１個のマゼンタ画素ブロックＣＡ２と、縦方向に４個隣接するとともに、下端のマゼンタ画素ブロックＣＡ２及び当該下端の上方に隣接したマゼンタ画素ブロックＣＡ２の各々に対して、横方向に２個隣接した８個のマゼンタ画素ブロックＣＡ２とが、上記空隙画素ブロックＫを介して存在している場合、領域大きさ判別部１５は、これら１個及び８個の各マゼンタ画素ブロックＣＡ２を一つのマゼンタのカラー画像領域と判別する。更に、領域大きさ判別部１５は、１個のマゼンタ画素ブロックＣＡ２と８個のマゼンタ画素ブロックＣＡ２との離間距離が予め定められた距離よりも小さいことを判別すると、これら１個及び８個のマゼンタ画素ブロックＣＡ２を一つのマゼンタのカラー画像領域と判別する。
【００５８】
また、図１２（Ａ）において、例えば、横方向に隣接した８個のシアン画素ブロックＣＡ３と、縦方向に２個、及び横方向に８個ずつ隣接した１６個のシアン画素ブロックＣＡ３とが、上記空隙画素ブロックＫを介して存在している場合、領域大きさ判別部１５は、これら８個及び１６個の各シアン画素ブロックＣＡ３を一つのシアンのカラー画像領域と判別する。更に、領域大きさ判別部１５は、８個のシアン画素ブロックＣＡ３と１６個のシアン画素ブロックＣＡ３との離間距離が予め定められた距離よりも小さいことを判別すると、これら８個及び１６個のシアン画素ブロックＣＡ３を一つのシアンのカラー画像領域と判別する。
【００５９】
更に、領域大きさ判別部１５は、判別したイエロー、マゼンタ、及びシアンの各カラー画像領域が互いに予め定められた距離よりも小さい離間距離で存在していることを判別すると、これらイエロー、マゼンタ、及びシアンのカラー画像領域を、一つのカラー画像領域として判別する。このため、対象範囲判別部１３は、当該一つのカラー画像領域を、エコプリント対象範囲として検出する。そして、制御部１１は、上記一つのカラー画像領域のデータ部分に基づくエコプリント処理を印刷部２２に行わせる。この結果、図１２（Ｂ）に示すように、イエロー、マゼンタ、及びシアンの各カラー画像領域では、例えば、対応する色のトナーの消費量が低減されたエコプリント処理が施されて、印刷される。
【００６０】
図９に戻って、領域大きさ判別部１５は、全てのカラー画像領域についての離間距離の判別処理が終了したか否かについて判別する（Ｓ１７）。そして、領域大きさ判別部１５は、全てのカラー画像領域についての離間距離の判別処理が終了していないことを判別すれば（Ｓ１７でＮＯ）、処理は上記Ｓ１４に戻って処理をやり直す。
【００６１】
一方、領域大きさ判別部１５は、全てのカラー画像領域についての離間距離の判別処理が終了したことを判別すれば（Ｓ１７でＹＥＳ）、処理は上記Ｓ１１に進む。例えば、対象範囲検出部１３は、上記Ｓ４で検出されたカラー画像領域Ｐ１、Ｐ２、Ｐ５、及びＰ６について、各二つのカラー画像領域の離間距離が予め定められた距離以上であると領域大きさ判別部１５が判別すると、上記Ｓ９で判別したカラー画像領域Ｐ１、Ｐ２、Ｐ５、及びＰ６の各大きさが、上記Ｓ８で指定された設定値以上か否かについて判別する（Ｓ１１）。その後、対象範囲検出部１３は、例えば、カラー画像領域Ｐ１の大きさが設定値未満であることを判別し、更にカラー画像領域Ｐ２、Ｐ５、及びＰ６の大きさが設定値以上であることを判別すると、カラー画像領域Ｐ２、Ｐ５、及びＰ６を、エコプリント対象範囲として検出する（Ｓ１２）。そして、制御部１１は、Ｓ１２でエコプリント対象範囲として検出されたカラー画像領域Ｐ２、Ｐ５、及びＰ６のデータ部分に基づくエコプリント処理を印刷部２２に行わせ、当該エコプリント対象範囲以外の領域のデータ部分に基づく上記通常のプリント処理を印刷部２２に行わせる（Ｓ１３）。この結果、図１３に示す記録紙Ｐにおいて、同図１３に二点鎖線にて囲んだカラー画像領域Ｐ２、Ｐ５、及びＰ６では、エコプリント処理が行われて、例えばブラックのモノクロの色で当該カラー画像領域Ｐ２、Ｐ５、及びＰ６内の画像が印刷されている。
【００６２】
以上のように本実施形態では、設定値以上の大きさを有するカラー画像領域を指定するエコプリント処理条件が上記操作受付部に受け付けられた場合、カラー画像領域検出部１４が当該エコプリント処理条件に従って、上記画像データにおけるカラー画像領域を検出する。領域大きさ判別部１５は、検出されたカラー画像領域の大きさを判別する。対象範囲検出部１３は、エコプリント処理条件に従って、設定値以上の大きさを有するカラー画像領域を検出してエコプリント対象範囲とする。制御部１１は、当該エコプリント対象範囲について、エコプリント処理を印刷部２２に行わせる。このように、本実施形態では、上記従来例と異なり、画像形成装置１がデータに基づくプリント処理を行う場合において、ユーザーが所望する箇所だけを容易にエコプリント処理することを可能にする。
【００６３】
＜第３実施形態＞
次に、図１４を参照して、本発明の第３実施形態に係る画像形成装置について具体的に説明する。図１４は、本発明の第３実施形態に係る画像形成装置の要部構成を示す機能ブロック図である。尚、上記第２実施形態と同様の構成については説明を省略する。
【００６４】
図１４に示すように、本実施形態の画像形成装置１では、矩形領域検出部１６が制御ユニット１０に設けられている。この矩形領域検出部１６は、例えば、記憶部３４等に記憶されている予め定められた矩形を示す画像を用いて、原稿読取部２０からの上記画像データに対して、パターンマッチングを行うことにより、当該画像データから上記矩形領域を検出する。また、カラー画像領域検出部１４は、矩形領域検出部１６が検出した矩形領域に含まれるカラー画像領域を検出し、領域大きさ判別部１５は、カラー画像領域検出部１４が検出したカラー画像領域の大きさ（つまり、矩形領域検出部１６が検出した矩形領域に含まれるカラー画像領域の大きさ）を判別する。
【００６５】
また、本実施形態の画像形成装置１では、対象範囲検出部１３は、エコプリント処理条件にカラー画像領域の大きさについてのセット値が含まれている場合、領域大きさ判別部１５が判別したカラー画像領域の大きさが当該セット値以上であるときに、当該セット値以上のカラー画像領域をエコプリント対象範囲とする。また、対象範囲検出部１３は、領域大きさ判別部１５が判別したカラー画像領域の大きさが上記セット値未満であるときは、当該セット値未満のカラー画像領域をエコプリント対象範囲としない。このため、制御部１１は、セット値未満のカラー画像領域については、通常のプリント処理を行わせる。
【００６６】
次に、図１５及び図１６を参照して、第３実施形態に係る画像形成装置１での処理動作について具体的に説明する。図１５は、第３実施形態における画像形成装置での処理の流れを示すフローチャートである。図１６は、図１５に示した（２）からの処理を示すフローチャートである。
【００６７】
制御部１１は、上記Ｓ３において、エコプリント処理条件の指定を上記操作受付部が受け付けたかどうかを判別するときに、図４に示した表示画面において、矩形領域キー３１Ｄの指定が行われたことをタッチパネル３１が検出していなければ（Ｓ３でＮＯ）、Ｓ４１には進まずに、画像形成装置１を待機状態とする。
【００６８】
一方、制御部１１は、ユーザーにより矩形領域キー３１Ｄが指定されたことをタッチパネル３１が検出した場合（Ｓ３でＹＥＳ）、エコプリント処理条件として矩形領域に含まれるカラー画像領域が指定され、更にカラー画像領域の大きさが指定されると判断する。そして、矩形領域検出部１６は、原稿読取部２０で読み取られた上記原稿Ｇの画像データを画像メモリー２３から読み出して、この画像データに対して、パターンマッチングを行うことにより、当該画像データから矩形領域を検出する（Ｓ４１）。続いて、カラー画像領域検出部１４は、矩形領域検出部１６が検出した矩形領域においてブラックの画素以外のカラーの画素を判別することにより、カラー画像領域を検出する（Ｓ４）。これにより、図５に示した原稿Ｇにおいて、矩形領域に含まれる、カラー画像領域Ｐ１、Ｐ２、Ｐ５、及びＰ６がカラー画像領域検出部１４によって検出される。
【００６９】
続いて、表示制御部１２は、例えば、図１０に示すように、カラー画像領域の大きさについてのセット値の指定を促す表示を表示部３０に行わせる（Ｓ４２）。つまり、表示制御部１２は、図１０の表示画面に示すように、ユーザーがカラー画像領域の大きさを指定するための指定欄３１Ｃ１と、当該大きさでの単位を指定するプルダウンメニュー３１Ｃ２を表示部３０に表示させる。そして、制御部１１は、ユーザーにより、カラー画像領域の大きさについてのセット値の指定を上記操作受付部が受け付けたかどうかを判別する（Ｓ４３）。例えば、制御部１１は、図１０に示した表示画面において、指定欄３１Ｃ１に対して、ユーザーが図略のテンキー等を用いることにより、大きさの値の指定が行われたことをタッチパネル３１が検出していなければ（Ｓ４３でＮＯ）、Ｓ９には進まずに、画像形成装置１を待機状態とする。
【００７０】
一方、制御部１１は、ユーザーにより、指定欄３１Ｃ１に対して、例えば、「０．５」の値が指定され、更にはプルダウンメニュー３１Ｃ２が押下されて、「ｃｍ2」が指定されたことをタッチパネル３１により受け付けられたことを検出した場合（Ｓ４３でＹＥＳ）、エコプリント処理条件として０．５ｃｍ2以上のカラー画像領域が指定されたと判断する。そして、領域大きさ判別部１５は、カラー画像領域検出部１４によって検出されたカラー画像領域Ｐ１、Ｐ２、Ｐ５、及びＰ６の各大きさを判別する（Ｓ９）。
【００７１】
続いて、領域大きさ判別部１５は、大きさを判別したカラー画像領域が二つ以上存在するか否かについて判別する（Ｓ１０）。そして、対象範囲検出部１３は、大きさを判別したカラー画像領域が一つであることを領域大きさ判別部１５が判別したときは（Ｓ１０でＮＯ）、当該カラー画像領域の大きさが上記Ｓ８で指定されたセット値以上か否かについて判別する（Ｓ４４）。その後、対象範囲検出部１３は、カラー画像領域の大きさがセット値未満であることを判別したときは（Ｓ４４でＮＯ）、当該カラー画像領域はエコプリント対象範囲に該当しないと判断して、処理を終了する。
【００７２】
一方、対象範囲検出部１３は、カラー画像領域の大きさがセット値以上であることを判別したときは（Ｓ４４でＹＥＳ）、当該カラー画像領域を、エコプリント対象範囲として検出する（Ｓ１２）。そして、制御部１１は、Ｓ１２でエコプリント対象範囲として検出したカラー画像領域のデータ部分に基づくエコプリント処理を印刷部２２に行わせ、当該エコプリント対象範囲以外の領域のデータ部分に基づく上記通常のプリント処理を印刷部２２に行わせる（Ｓ１３）。
【００７３】
また、領域大きさ判別部１５は、大きさを判別したカラー画像領域が二つ以上であることを判別したときは（Ｓ１０でＹＥＳ）、隣接する二つのカラー画像領域の離間距離が予め定められた距離よりも小さいかどうかを判別する（Ｓ１４）。そして、領域大きさ判別部１５は、隣接する二つのカラー画像領域の離間距離が予め定められた距離よりも小さいことを判別すれば（Ｓ１４でＹＥＳ）、当該二つのカラー画像領域を一つのカラー画像領域と判定する（Ｓ１５）。一方、領域大きさ判別部１５は、隣接する二つのカラー画像領域の離間距離が予め定められた距離以上であることを判別すれば（Ｓ１４でＮＯ）、当該二つのカラー画像領域を、一つのカラー画像領域とは判定せずに、互いに独立した二つのカラー画像領域と判定する（Ｓ１６）。
【００７４】
続いて、領域大きさ判別部１５は、全てのカラー画像領域についての離間距離の判別処理が終了したか否かについて判別する（Ｓ１７）。そして、領域大きさ判別部１５は、全てのカラー画像領域についての離間距離の判別処理が終了していないことを判別すれば（Ｓ１７でＮＯ）、処理は上記Ｓ１４に戻って処理をやり直す。
【００７５】
一方、領域大きさ判別部１５は、全てのカラー画像領域についての離間距離の判別処理が終了したことを判別すれば（Ｓ１７でＹＥＳ）、処理は上記Ｓ４４に進む。例えば、対象範囲検出部１３は、上記Ｓ４で検出されたカラー画像領域Ｐ１、Ｐ２、Ｐ５、及びＰ６について、各二つのカラー画像領域の離間距離が予め定められた距離以上であると領域大きさ判別部１５が判別すると、上記Ｓ９で判別したカラー画像領域Ｐ１、Ｐ２、Ｐ５、及びＰ６の各大きさが、上記Ｓ４３で指定されたセット値以上か否かについて判別する（Ｓ４４）。その後、対象範囲検出部１３は、例えば、カラー画像領域Ｐ１の大きさがセット値未満であることを判別し、更にカラー画像領域Ｐ２、Ｐ５、及びＰ６の大きさがセット値以上であることを判別すると、カラー画像領域Ｐ２、Ｐ５、及びＰ６を、エコプリント対象範囲として検出する（Ｓ１２）。そして、制御部１１は、Ｓ１２でエコプリント対象範囲として検出されたカラー画像領域Ｐ２、Ｐ５、及びＰ６のデータ部分に基づくエコプリント処理を印刷部２２に行わせ、当該エコプリント対象範囲以外の領域のデータ部分に基づく上記通常のプリント処理を印刷部２２に行わせる（Ｓ１３）。この結果、図１７に示す記録紙Ｐにおいて、同図１７に二点鎖線にて囲んだカラー画像領域Ｐ２、Ｐ５、及びＰ６では、エコプリント処理が行われて、例えばブラックのモノクロの色で当該カラー画像領域Ｐ２、Ｐ５、及びＰ６内の画像が印刷されている。
【００７６】
以上のように本実施形態では、矩形領域に含まれるとともに、セット値以上の大きさを有するカラー画像領域を指定するエコプリント処理条件が上記操作受付部に受け付けられた場合、当該エコプリント処理条件に従って、矩形領域検出部１６が上記画像データにおける矩形領域を検出し、カラー画像領域検出部１４が検出された矩形領域に含まれるカラー画像領域を検出する。領域大きさ判別部１５は、検出されたカラー画像領域の大きさを判別する。対象範囲検出部１３は、エコプリント処理条件に従って、矩形領域に含まれるとともに、セット値以上の大きさを有するカラー画像領域を検出してエコプリント対象範囲とする。制御部１１は、当該エコプリント対象範囲について、エコプリント処理を印刷部２２に行わせる。このように、本実施形態では、上記従来例と異なり、画像形成装置１がデータに基づくプリント処理を行う場合において、ユーザーが所望する箇所だけを容易にエコプリント処理することを可能にする。
【００７７】
＜第４実施形態＞
本発明の第４実施形態に係る画像形成装置について具体的に説明する。本実施形態と上記第１乃至第３実施形態との相違点は、本実施形態では、カラー画像領域以外の領域をエコプリント対象範囲とする。尚、上記第１乃至第３実施形態と同様の構成については説明を省略する。
【００７８】
本実施形態の画像形成装置１では、対象範囲検出部１３は、エコプリント処理条件に従って、図１、図７、又は図１４に示したカラー画像領域検出部１４が検出したカラー画像領域以外の領域を上記エコプリント対象範囲とする。
【００７９】
すなわち、本実施形態の画像形成装置１では、制御部１１は、例えば図４に示した表示画面において、ユーザーによりテキストキー３１Ｅが指定されたことをタッチパネル３１が検出した場合、エコプリント処理条件としてテキストが指定されたと判断する。そして、カラー画像領域検出部１４は、第１、第２、又は第３実施形態と同様に、カラー画像領域を検出する。その後、対象範囲検出部１３は、画像データにおいて、検出されたカラー画像領域以外の領域をエコプリント対象範囲とする。例えば、対象範囲検出部１３は、図５に示した原稿Ｇにおいて、カラー画像領域以外の領域である、テキストの領域Ｐ３、Ｐ４、Ｐ７、及びＰ８をエコプリント対象範囲として検出する。
【００８０】
そして、制御部１１は、エコプリント対象範囲であるテキストの領域Ｐ３、Ｐ４、Ｐ７、及びＰ８の各データ部分に基づくエコプリント処理を印刷部２２に行わせ、当該エコプリント対象範囲以外の領域、すなわちカラー画像領域Ｐ１、Ｐ２、Ｐ５、及びＰ６の各データ部分に基づく上記通常のプリント処理を印刷部２２に行わせる。この結果、図１８に示す記録紙Ｐにおいて、同図１８に二点鎖線にて囲んだテキストの領域Ｐ３、Ｐ４、Ｐ７、及びＰ８では、エコプリント処理が行われて、ブラックのトナーの消費量が低減された状態で当該テキストの領域Ｐ３、Ｐ４、Ｐ７、及びＰ８内のテキストが印刷されている。
【００８１】
以上のように本実施形態では、対象範囲検出部１３は、カラー画像領域検出部１４が検出したカラー画像領域以外の領域を上記エコプリント対象範囲とする。制御部１１は、当該エコプリント対象範囲について、エコプリント処理を印刷部２２に行わせる。このように、本実施形態では、上記従来例と異なり、画像形成装置１がデータに基づくプリント処理を行う場合において、ユーザーが所望する箇所だけを容易にエコプリント処理することを可能にする。
【００８２】
＜第５実施形態＞
次に、図１９を参照して、本発明の第５実施形態に係る画像形成装置について具体的に説明する。図１９は、本発明の第５実施形態に係る画像形成装置の要部構成を示す機能ブロック図である。尚、上記第１実施形態と同様の構成については説明を省略する。
【００８３】
図１９に示すように、本実施形態の画像形成装置１では、テキスト検出部１７が制御ユニット１０に設けられている。このテキスト検出部１７は、画像データに対して、ＯＣＲ（Optical Character Recognition）処理を行うことにより、テキストを検出する。また、制御ユニット１０には、フォントサイズ判別部１８が設けられている。このフォントサイズ判別部１８は、既知の技術により、テキスト検出部１７が検出したテキストのフォントサイズを判別する。
【００８４】
また、本実施形態の画像形成装置１では、対象範囲検出部１３は、エコプリント処理条件にテキストのフォントサイズについてのサイズ値が含まれている場合、フォントサイズ判別部１８が判別したテキストのフォントサイズがサイズ値以上であるときに、当該サイズ値以上のフォントサイズを有するテキストを、エコプリント対象範囲とする。また、対象範囲検出部１３は、フォントサイズ判別部１８が判別したテキストのフォントサイズが上記サイズ値未満であるときは、当該サイズ値未満のテキストをエコプリント対象範囲としない。このため、制御部１１は、サイズ値未満のテキストについては、通常のプリント処理を行わせる。
【００８５】
次に、図２０を参照して、第５実施形態に係る画像形成装置１での処理動作について具体的に説明する。図２０は、第５実施形態における画像形成装置での処理の流れを示すフローチャートである。
【００８６】
制御部１１は、上記Ｓ３において、エコプリント処理条件の指定を上記操作受付部が受け付けたかどうかを判別するときに、図４に示した表示画面において、フォントサイズ指定キー３１Ｆの指定が行われたことをタッチパネル３１が検出していなければ（Ｓ３でＮＯ）、Ｓ４には進まずに、画像形成装置１を待機状態とする。
【００８７】
一方、制御部１１は、ユーザーによりフォントサイズ指定キー３１Ｆが指定されたことをタッチパネル３１が検出した場合（Ｓ３でＹＥＳ）、エコプリント処理条件としてテキストが指定され、更にテキストのフォントサイズが指定されると判断する。そして、テキスト検出部１７は、原稿読取部２０で読み取られた上記原稿Ｇの画像データを画像メモリー２３から読み出して、当該画像データに対して、ＯＣＲ処理を行うことにより、テキストを検出する（Ｓ２０）。これにより、図５に示した原稿Ｇにおいて、テキストの領域Ｐ３、Ｐ４、Ｐ７、及びＰ８がテキスト検出部１７によって検出される。
【００８８】
続いて、表示制御部１２は、例えば、図２１に示すように、テキストのフォントサイズについてのサイズ値の指定を促す表示を表示部３０に行わせる（Ｓ２１）。つまり、表示制御部１２は、図２１の表示画面に示すように、ユーザーがフォントサイズを指定するための指定欄３１Ｆ１を表示部３０に表示させる。そして、制御部１１は、ユーザーにより、テキストのフォントサイズについてのサイズ値の指定を上記操作受付部が受け付けたかどうかを判別する（Ｓ２２）。例えば、制御部１１は、図２１に示した表示画面において、指定欄３１Ｆ１に対して、ユーザーが図略のテンキー等を用いることにより、指定するフォントサイズの値の入力が行われたことをタッチパネル３１が検出していなければ（Ｓ２２でＮＯ）、Ｓ２３には進まずに、画像形成装置１を待機状態とする。
【００８９】
一方、制御部１１は、ユーザーにより、指定欄３１Ｆ１に対して、例えば、「４８ｐｔ」の値が入力されたことをタッチパネル３１により受け付けられたことを検出した場合（Ｓ２２でＹＥＳ）、エコプリント処理条件として４８ｐｔ以上のフォントサイズのテキストが指定されたと判断する。そして、フォントサイズ判別部１８は、テキスト検出部１７によって検出されたテキストの領域Ｐ３、Ｐ４、Ｐ７、及びＰ８の各テキストに対して、既知の技術により、当該テキストのフォントサイズを判別する（Ｓ２３）。
【００９０】
続いて、対象範囲検出部１３は、判別されたテキストのフォントサイズが上記Ｓ２２で指定されたサイズ値以上か否かについて判別する（Ｓ２４）。その後、対象範囲検出部１３は、テキストのフォントサイズがサイズ値未満であることを判別したときは（Ｓ２４でＮＯ）、当該テキストはエコプリント対象範囲に該当しないと判断して、処理は後述のＳ２６に進む。
【００９１】
一方、対象範囲検出部１３は、テキストのフォントサイズがサイズ値以上であることを判別したときは（Ｓ２４でＹＥＳ）、当該テキストを、エコプリント対象範囲として検出する（Ｓ２５）。そして、対象範囲検出部１３は、上記Ｓ２３でフォントサイズが判別された全てのテキストについて上記Ｓ２４の処理が終了したかどうかを判別する（Ｓ２６）。続いて、対象範囲検出部１３は、全てのテキストについて上記Ｓ２４の処理が終了していないことを判別すれば（Ｓ２６でＮＯ）、処理は当該Ｓ２４に戻って処理をやり直す。
【００９２】
一方、制御部１１は、全てのテキストについてＳ２４の処理が終了したことを対象範囲検出部１３が判別すれば、原稿Ｇの画像データに基づくプリント処理を印刷部２２に行わせる（Ｓ２７）。例えば、対象範囲検出部１３は、テキストの領域Ｐ３のフォントサイズがサイズ値以上であることを判別し、更にテキストの領域Ｐ４、Ｐ７、及びＰ８のフォントサイズがサイズ値未満であることを判別すると、テキストの領域Ｐ３を、エコプリント対象範囲として検出する。そして、制御部１１は、エコプリント対象範囲として検出されたテキストの領域Ｐ３のデータ部分に基づくエコプリント処理を印刷部２２に行わせ、当該エコプリント対象範囲以外の領域のデータ部分に基づく上記通常のプリント処理を印刷部２２に行わせる。この結果、図２２に示す記録紙Ｐにおいて、同図２２に二点鎖線にて囲んだテキストの領域Ｐ３では、エコプリント処理が行われて、ブラックのトナーの消費量が低減された状態で当該テキストの領域Ｐ３内のテキストが印刷されている。
【００９３】
以上のように本実施形態では、サイズ値以上のフォントサイズを有するテキストを指定するエコプリント処理条件が上記操作受付部に受け付けられた場合、テキスト検出部１７が当該エコプリント処理条件に従って、上記画像データにおけるテキストを検出する。フォントサイズ判別部１８は、検出されたテキストのフォントサイズを判別する。対象範囲検出部１３は、エコプリン処理条件に従って、サイズ値以上のフォントサイズを有するテキストを検出してエコプリント対象範囲とする。制御部１１は、当該エコプリント対象範囲について、エコプリント処理を印刷部２２に行わせる。このように、本実施形態では、上記従来例と異なり、画像形成装置１がデータに基づくプリント処理を行う場合において、ユーザーが所望する箇所だけを容易にエコプリント処理することを可能にする。
【００９４】
＜第６実施形態＞
次に、図２３を参照して、本発明の第６実施形態に係る画像形成装置について具体的に説明する。図２３は、本発明の第６実施形態に係る画像形成装置の要部構成を示す機能ブロック図である。尚、上記第１実施形態と同様の構成については説明を省略する。
【００９５】
本実施形態の画像形成装置１では、対象範囲検出部１３は、エコプリント処理条件にエコプリント対象範囲の指定範囲が含まれている場合、当該指定範囲を、エコプリント対象範囲とする。
【００９６】
次に、図２４を参照して、第６実施形態に係る画像形成装置１での処理動作について具体的に説明する。図２４は、第６実施形態における画像形成装置での処理の流れを示すフローチャートである。
【００９７】
制御部１１は、上記Ｓ３において、エコプリント処理条件の指定を上記操作受付部が受け付けたかどうかを判別するときに、図４に示した表示画面において、範囲指定キー３１Ｇの指定が行われたことをタッチパネル３１が検出していなければ（Ｓ３でＮＯ）、Ｓ４には進まずに、画像形成装置１を待機状態とする。
【００９８】
一方、制御部１１は、ユーザーにより範囲指定キー３１Ｇが指定されたことをタッチパネル３１が検出した場合（Ｓ３でＹＥＳ）、エコプリント処理条件として指定範囲が指定されたと判断する。そして、表示制御部１２は、例えば、図２５に示すように、指定範囲の指定を促す表示を表示部３０に行わせる（Ｓ３０）。例えば、表示制御部１２は、図２５の表示画面に示すように、「頁の上半分」をユーザーが指定可能とするために、チェック欄３１Ｇ１を表示部３０に表示させる。同様に、表示制御部１２は、図２５の表示画面に示すように、「頁の下半分」をユーザーが指定可能とするために、チェック欄３１Ｇ２を表示部３０に表示させる。同様に、表示制御部１２は、図２５の表示画面に示すように、例えば、図略のテンキー等により例えば「頁の上端から１０ｃｍなど」の「その他」をユーザーが指定可能とするために、チェック欄３１Ｇ３を表示部３０に表示させる。
【００９９】
そして、制御部１１は、図２５に示した表示画面において、例えば、いずれか一つのチェック欄３１Ｇ１〜３１Ｇ３がユーザーに指定されたかどうかを検出することにより、指定範囲の指定が行われたかどうかを判別する（Ｓ３１）。制御部１１は、いずれか一つのチェック欄３１Ｇ１〜３１Ｇ３がユーザーに指定されたことをタッチパネル３１が検出していなければ（Ｓ３１でＮＯ）、Ｓ３２には進まずに、画像形成装置１を待機状態とする。
【０１００】
一方、制御部１１は、いずれか一つのチェック欄３１Ｇ１〜３１Ｇ３、例えばチェック欄３１Ｇ１が指定され、タッチパネル３１により受け付けられたことを検出した場合には（Ｓ３１でＹＥＳ）、指定範囲の指定が行われたと判断する。そして、対象範囲検出部１３は、指定された指定範囲、つまり「頁の上半分」を指定範囲として取得し（Ｓ３２）、取得した「頁の上半分」を、上記エコプリント対象範囲として検出する（Ｓ５）。
【０１０１】
そして、制御部１１は、原稿Ｇの画像データに基づくプリント処理を印刷部２２に行わせる（Ｓ６）。すなわち、制御部１１は、エコプリント対象範囲である「頁の上半分」のデータ部分に基づくエコプリント処理を印刷部２２に行わせ、当該エコプリント対象範囲以外の領域、すなわち「ページの下半分」のデータ部分に基づく上記通常のプリント処理を印刷部２２に行わせる。この結果、図２６に示す記録紙Ｐにおいて、頁の上半分（同図２６に示す矢印Ｈよりも上側の部分）に位置する、同図２６に二点鎖線にて囲んだカラー画像領域Ｐ１、Ｐ２、及びＰ５と、テキストの領域Ｐ３及びＰ４では、エコプリント処理が行われている。
【０１０２】
以上のように本実施形態では、上記指定範囲を含んだエコプリント処理条件が上記操作受付部に受け付けられた場合、対象範囲検出部１３は、当該指定範囲をエコプリント対象範囲とする。制御部１１は、当該エコプリント対象範囲について、エコプリント処理を印刷部２２に行わせる。このように、本実施形態では、上記従来例と異なり、画像形成装置１がデータに基づくプリント処理を行う場合において、ユーザーが所望する箇所だけを容易にエコプリント処理することを可能にする。
【０１０３】
尚、上記の説明以外に、第１乃至第６実施形態の各実施形態を適宜組み合わせて、画像形成装置１を構成してもよい。
【０１０４】
＜第７実施形態＞
次に、図２７乃至図２９を参照して、本発明の画像形成装置を用いた画像形成システムについて具体的に説明する。なお、以下の説明では、第１、第２、第５、及び第６実施形態を組み合わせた画像形成装置１を用いた場合を例示して説明する。図２７は、本発明の第７実施形態に係る画像形成装置を用いた画像形成システムの全体を示す図である。図２８は、第７実施形態に係る画像形成装置の要部構成を示す機能ブロック図である。図２９は、情報処理装置の要部構成を示す機能ブロック図である。
【０１０５】
図２７に示す画像形成システム１００は、画像形成装置１と、情報処理装置２とを備える。画像形成システム１００において、画像形成装置１と情報処理装置２とは、例えばイントラネットやインターネット等のネットワークＮを通じて、プリントジョブファイルやメッセージ等のデータを送受信する。
【０１０６】
図２８に示すように、本実施形態の画像形成装置１では、制御ユニット１０は、対象範囲検出部１３と、カラー画像領域検出部１４と、領域大きさ判別部１５と、テキスト検出部１７と、フォントサイズ判別部１８とを備えている。
【０１０７】
また、本実施形態の画像形成装置１は、原稿読取部２０で読み取られた原稿の画像データだけでなく、通信部３３が情報処理装置２から受信したプリントジョブファイルに含まれたプリントデータについても、エコプリント処理を行う。つまり、本実施形態では、対象範囲検出部１３は、通信部３３がプリントジョブファイルを受信した場合、当該プリントジョブファイルに含まれたエコプリント処理条件に従って、上記プリントデータでのエコプリント処理の対象とするエコプリント対象範囲を検出する。そして、制御部１１は、エコプリント対象範囲について、エコプリント処理を印刷部２２に行わせる。
【０１０８】
また、上記プリントデータは、後述するように、情報処理装置２において、ドキュメントデータが、画像形成装置１に適したプリンター言語からなるプリントデータに変換されたデータであり、当該プリントデータには、周知のように、上記カラー画像領域やその領域の大きさを示す属性情報及びテキストやそのフォントサイズを示す属性情報が付随している。このため、本実施形態では、カラー画像領域検出部１４は、受信したプリントデータに基づいて、カラー画像領域を検出する。また、テキスト検出部１７は、受信したプリントデータに基づいて、テキストを検出する。また、領域大きさ判別部１５は、受信したプリントデータに基づいて、検出されたカラー画像領域の大きさを判別する。また、フォントサイズ判別部１８は、受信したプリントデータに基づいて、検出されたテキストのフォントサイズを判別する。
【０１０９】
図２９において、本実施形態の情報処理装置２は、例えばスマートフォンやタブレットＰＣなどの携帯情報端末やパーソナルコンピューター等である。情報処理装置２は、制御ユニット７０と、操作部８０と、表示部８１と、タッチパネル８２と、通信部８３と、ＨＤＤ８４とを有する。これら各部は、互いにＣＰＵバスによりデータ又は信号の送受信が可能とされている。制御ユニット７０は、プロセッサー、ＲＡＭ(Random Access Memory）、及びＲＯＭ（Read Only Memory）などから構成される。プロセッサーは、例えば、ＣＰＵ（Central Processing Unit）、ＭＰＵ、ＡＳＩＣである。この制御ユニット７０は、上記ＨＤＤ８４等に記憶された印刷要求プログラムが上記のプロセッサーで実行されることにより、制御部７１、及び表示制御部７２として機能する。なお、制御ユニット７０の制御部７１、及び表示制御部７２は、上記印刷要求プログラムに基づく動作によらず、それぞれハード回路により構成されてもよい。以下、特に触れない限り、各実施形態について同様である。また、上記プロセッサーが、ＨＤＤ８４に記憶されたプリンタードライバーＰＤを実行することにより、プリンタードライバー部７３として機能する。
【０１１０】
制御部７１は、情報処理装置２の全体的な動作制御を司る。尚、制御部７１は、特許請求の範囲における第２の制御部の一例である。
【０１１１】
表示制御部７２は、表示部８１の表示制御を行う。また、表示制御部７２は、画像形成装置１でのプリント処理の対象となるドキュメントデータの指定と、当該ドキュメントデータに対する、上記エコプリント処理条件の指定とを促す表示を表示部８１に行わせる。尚、表示制御部７２は、特許請求の範囲における第２の表示制御部の一例である。
【０１１２】
また、制御部７１は、操作部８０やタッチパネル８２に対するユーザーからの操作に応じて、ＨＤＤ８４に記憶されているドキュメントデータや、情報処理装置２の外部、例えば通信部８３にネットワークＮを通じて接続された図略のサーバー等からドキュメントデータを読み出す。
【０１１３】
ドキュメントデータは、例えば情報処理装置２で実行されるワードプロセッサーや表計算ソフト、図面ソフト等のアプリケーションで作成されたファイル、又はjpeg、ＰＤＦ等のイメージデータ等である。但し、このドキュメントデータは、画像形成装置１及びその印刷に適したフォーマットとされておらず、当該画像形成装置１での印刷処理に直接的に用いることはできないデータである。
【０１１４】
プリンタードライバー部７３は、後述の操作受付部が受け付けたユーザーの操作指示に従って、ユーザーによって指定されたドキュメントデータを、画像形成装置１に適したプリンター言語からなる上記プリントデータに変換するとともに、当該プリントデータと、後述の操作受付部が受け付けたエコプリント処理条件とを含んだプリントジョブファイルを作成する。
【０１１５】
また、制御部７１は、プリンタードライバー部７３がプリントジョブファイルを作成した場合、当該プリントジョブファイルを、通信部８３からネットワークＮを通じて画像形成装置２に向けて送信させる。
【０１１６】
操作部８０は、ハードキーを備えたキーボード、マウス、ポインティングデバイス等を有し、この操作部８０には、ユーザーにより、印刷対象となるドキュメントデータや印刷条件を指定する指示等が入力される。
【０１１７】
表示部８１は、液晶ディスプレイや有機ＥＬディスプレイ等から構成される。表示部８１は、表示制御部７２による制御のもと、画像形成装置１での上記エコプリント処理条件等の指示入力画面等を表示する。尚、表示部８１は、特許請求の範囲における第２の表示部の一例である。
【０１１８】
表示部８１の前面には、タッチパネル８２が配置されている。タッチパネル８２は、所謂抵抗膜方式や静電容量方式等のタッチパネルであって、タッチパネル８２上におけるユーザーによる接触（タッチ）をその接触位置とともに検知する。タッチパネル８２は、ユーザーによる接触を検知すると、その接触点の座標位置を示す検知信号を制御部７１などに出力する。なお、操作部８０とタッチパネル８２とは、特許請求の範囲における第２の操作受付部の一例である。
【０１１９】
通信部８３は、ＬＡＮボード等の通信モジュールを有しており、制御部７１等の制御のもと、当該通信部８３に接続されたネットワークＮを通じて、画像形成装置１等との間で種々のデータを送受信する。
【０１２０】
ＨＤＤ（ハードディスクドライブ）８４は、上記アプリケーション及びこのアプリケーションで作成されたドキュメントデータ等を記憶する大容量の記憶装置である。また、ＨＤＤ８４には、プリンタードライバーＰＤが予め記憶されている。
【０１２１】
次に、図３０〜図３６を参照して本実施形態の画像形成システム１００での動作について具体的に説明する。
【０１２２】
まず図３０を参照して、情報処理装置２でのプリントジョブファイルの作成処理について具体的に説明する。図３０は、情報処理装置での処理の流れを示すフローチャートである。
【０１２３】
情報処理装置２では、図３０に示すように、制御部７１は、ユーザーにより、エコプリント処理の実行を指示する要求を上記操作受付部が受け付けたかどうかを判別する（Ｓ５１）。例えば、制御部７１は、表示制御部７２が、図３１に示すように、ユーザーにエコプリント処理の実行を促す表示を表示部８１に行わせたときに、エコプリントタブキー８２ａがユーザーに指定されたかどうかを検出することにより、エコプリント処理の実行を指示する要求が行われたかどうかを判別する。制御部７１は、エコプリントタブキー８２ａが指定されたことをタッチパネル８２が検出していなければ（Ｓ５１でＮＯ）、Ｓ５２には進まずに、情報処理装置２を待機状態とする。
【０１２４】
一方、制御部７１は、ユーザーによりエコプリントタブキー８２ａが指定され、タッチパネル８２により受け付けられたことを検出した場合（Ｓ５１でＹＥＳ）、エコプリント処理の実行が要求されたと判断する。そして、表示制御部７２は、例えば、図３１に示すように、プリント処理の対象となるドキュメントデータの指定と、当該ドキュメントデータに対する、エコプリント処理条件の指定を促す表示を表示部８１に行わせる（Ｓ５２）。つまり、表示制御部７２は、図３１の表示画面に示すように、上記ドキュメントデータを指定する指定欄８２ｂを表示部２１に表示させる。そして、制御部７１は、ユーザーにより、プリント処理の対象となるドキュメントデータが指定されたかどうかを判別する（Ｓ５３）。制御部７１は、指定欄８２ｂが指定されたことをタッチパネル８２が検出していなければ（Ｓ５３でＮＯ）、Ｓ５４には進まずに、情報処理装置２を待機状態とする。
【０１２５】
一方、制御部７１は、ユーザーにより指定欄８２ｂが指定され、タッチパネル８２により受け付けられたことを検出した場合は（Ｓ５３でＹＥＳ）、上記ドキュメントデータの指定処理が要求されたと判断する。そして、制御部７１は、ＨＤＤ８４に予め記憶されているドキュメントデータのファイル名、例えば「文章１.pdf」、「文章２.txt」、及び「文章３.pdf」を表示部８１に表示させる（図示せず）。そして、例えば、制御部７１は、ユーザーにより「文章１.pdf」が指定され、タッチパネル８２により受け付けられたことを検出した場合は、指定されたドキュメントデータとして当該「文章１.pdf」のドキュメントデータを設定して、制御部７１は、図３１に示すように、指定欄８２ｂ内に指定されたドキュメントデータのファイル名「文章１.pdf」を表示させる。
【０１２６】
また、表示制御部７２は、図３１の表示画面に示すように、「全頁」及び「対象範囲指定」をそれぞれユーザーが指定可能とするために、ユーザーに操作されたことを示すための画像を表示するチェック欄８２ｃ及び８２ｄをそれぞれ表示部８１に表示させる。また、表示制御部７２は、図３１の表示画面に示すように、「カラー画像領域」及び「テキスト」をそれぞれユーザーが指定可能とするために、ユーザーに操作されたことを示すための画像を表示するチェック欄８２ｅ及び８２ｆをそれぞれ表示部８１に表示させる。
【０１２７】
また、表示制御部７２は、図３１の表示画面に示すように、「全カラー画像領域」及び「指定大きさ以上のカラー画像領域」をそれぞれユーザーが指定可能とするために、ユーザーに操作されたことを示すための画像を表示するチェック欄８２ｅ１及び８２ｅ２をそれぞれ表示部８１に表示させる。また、表示制御部７２は、図３１の表示画面に示すように、ユーザーが図略のテンキー等を用いてカラー画像領域の大きさを指定するための指定欄８２ｅ３と、当該大きさでの単位を指定するプルダウンメニュー８２ｅ４を表示部８１に表示させる。尚、以下の説明では、図３１の表示画面に示すように、「０．５」の値が指定欄８２ｅ３に指定され、プルダウンメニュー８２ｅ４によって「ｃｍ2」が指定されるものとする。
【０１２８】
また、表示制御部７２は、図３１の表示画面に示すように、「全テキスト」及び「指定フォントサイズ以上のテキスト」をそれぞれユーザーが指定可能とするために、ユーザーに操作されたことを示すための画像を表示するチェック欄８２ｆ１及び８２ｆ２をそれぞれ表示部８１に表示させる。また、表示制御部７２は、図３１の表示画面に示すように、ユーザーが図略のテンキー等を用いてフォントサイズの大きさを指定するための指定欄８２ｆ３を表示部８１に表示させる。尚、以下の説明では、図３１の表示画面に示すように、「４８ｐｔ」の値が指定欄８２ｆ３に指定されるものとする。
【０１２９】
そして、制御部７１は、図３１に示した表示画面において、チェック欄８２ｃがユーザーに指定されたかどうかを検出することにより、エコプリント処理の対象範囲として全頁の指定が行われたかどうかを判別する（Ｓ５４）。続いて、制御部７１は、ユーザーによりチェック欄８２ｃが指定され、タッチパネル８２により受け付けられたことを検出した場合は（Ｓ５４でＹＥＳ）、エコプリント処理の対象範囲として全頁の指定が行われたと判断する。そして、制御部７１は、チェック欄８２ｅ又は８２ｆがユーザーに指定されたかどうかを検出することにより、エコプリント処理でのその他の処理条件の指定が行われたかどうかを判別する（Ｓ５５）。
【０１３０】
そして、制御部７１は、チェック欄８２ｅ又は８２ｆがユーザーに指定されたことをタッチパネル８２が検出していなければ（Ｓ５５でＮＯ）、Ｓ５８には進まずに、情報処理装置２を待機状態とする。一方、制御部７１は、チェック欄８２ｅ又は８２ｆがユーザーに指定されたことをタッチパネル８２が検出すれば（Ｓ５５でＹＥＳ）、処理は後述のＳ５８に進む。
【０１３１】
また、制御部７１は、上記Ｓ５４において、ユーザーによりチェック欄８２ｄが指定され、タッチパネル８２により受け付けられたことを検出した場合は（Ｓ５４でＮＯ）、エコプリント処理の対象範囲として指定範囲の指定が行われたと判断する。そして、表示制御部７２は、例えば、図３２に示すように、指定範囲の指定を促す表示を表示部８１に行わせる（Ｓ５６）。
【０１３２】
続いて、制御部７１は、図３２の表示画面に対して、上記指定範囲の指定がユーザーにより行われたかどうかを判別する（Ｓ５７）。制御部７１は、上記指定範囲がユーザーに指定されたことをタッチパネル８２が検出していなければ（Ｓ５７でＮＯ）、Ｓ５８には進まずに、情報処理装置２を待機状態とする。
【０１３３】
一方、制御部７１は、上記指定範囲がユーザーに指定されたことをタッチパネル８２が検出すれば（Ｓ５７でＹＥＳ）、その指定範囲をエコプリント処理条件に含める。例えば、制御部７１は、図３２の表示画面において、同図３２に矢印Ｈ１で示す位置から矢印Ｈ２で示す位置までの範囲が指定されたときに、当該範囲を指定範囲とする。
【０１３４】
そして、プリンタードライバー部７３は、上記Ｓ５３で指定されたドキュメントデータを、上記プリントデータに変換するとともに、このプリントデータと、上記Ｓ５４及びＳ５５、又はＳ５７で指定されたエコプリント処理条件とを含んだプリントジョブファイルを作成する（Ｓ５８）。
【０１３５】
その後、制御部７１は、ネットワークＮを通じて、プリンタードライバー部７３が作成したプリントジョブファイルを、画像形成装置１に向けて通信部８３から送信させる（Ｓ５９）。
【０１３６】
次に、図３３〜図３５を参照して、画像形成装置１でのエコプリント処理について具体的に説明する。図３３は、第７実施形態における画像形成装置での処理の流れを示すフローチャートである。図３４は、図３３に示した（３）からの処理を示すフローチャートである。図３５は、図３３に示した（４）からの処理を示すフローチャートである。
【０１３７】
画像形成装置１では、図３３に示すように、制御部１１は、通信部３３がネットワークＮを通じて情報処理装置２からプリントジョブファイルを受信したかどうかを判別する（Ｓ７１）。制御部１１は、プリントジョブファイルを通信部３３が受信していなければ（Ｓ７１でＮＯ）、Ｓ７２には進まずに、画像形成装置１を待機状態とする。
【０１３８】
一方、制御部１１は、プリントジョブファイルを通信部３３が受信していれば（Ｓ７１でＹＥＳ）、当該プリントジョブファイルにエコプリント処理条件が含まれているか否かを判別する（Ｓ７２）。制御部１１は、エコプリント処理条件が含まれていないことを判別した場合（Ｓ７２でＮＯ）、プリントジョブファイルに含まれたプリントデータに基づく上記通常のプリント処理を印刷部２２に行わせる（Ｓ７８）。
【０１３９】
一方、制御部１１は、エコプリント処理条件が含まれていることを判別した場合（Ｓ７２でＹＥＳ）、当該エコプリント処理条件に、上記指定範囲が含まれずに、全頁を指定する条件が含まれているか否かを判別する（Ｓ７３）。そして、制御部１１は、全頁を指定する条件が含まれていることを判別した場合（Ｓ７３でＹＥＳ）、エコプリント処理条件でカラー画像領域が指定されているか否かについて判別する（Ｓ７４）。そして、制御部１１は、エコプリント処理条件でカラー画像領域が指定されていないこと（つまり、エコプリント処理条件でテキストが指定されていること）を判別した場合（Ｓ７４でＮＯ）、処理は後述のＳ９０に進む。
【０１４０】
一方、カラー画像領域検出部１４は、エコプリント処理条件でカラー画像領域が指定されていることを制御部１１が判別した場合（Ｓ７４でＹＥＳ）、上記Ｓ７１で受信したプリントジョブファイルに含まれたプリントデータに基づいて、当該プリントデータでのカラー画像領域を検出する（Ｓ７５）。これにより、図３２に示した原稿Ｇにおいて、カラー画像領域Ｐ１、Ｐ２、Ｐ５、及びＰ６がカラー画像領域検出部１４によって検出される。
【０１４１】
続いて、制御部１１は、エコプリント処理条件でカラー画像領域の設定値が指定されているか否かについて判別する（Ｓ７６）。対象範囲検出部１３は、カラー画像領域の設定値が指定されていないことを制御部１１が判別した場合（Ｓ７６でＮＯ）、上記Ｓ７５で検出されたカラー画像領域Ｐ１、Ｐ２、Ｐ５、及びＰ６を、上記エコプリント対象範囲として検出する（Ｓ７７）。
【０１４２】
そして、制御部１１は、プリントデータに基づくプリント処理を印刷部２２に行わせる（Ｓ７８）。すなわち、制御部１１は、エコプリント対象範囲であるカラー画像領域Ｐ１、Ｐ２、Ｐ５、及びＰ６の各データ部分に基づくエコプリント処理を印刷部２２に行わせ、当該エコプリント対象範囲以外の領域、すなわちテキストの領域Ｐ３、Ｐ４、Ｐ７、及びＰ８の各データ部分に基づく上記通常のプリント処理を印刷部２２に行わせる。この結果、図６の記録紙Ｐに示したように、二点鎖線にて囲んだカラー画像領域Ｐ１、Ｐ２、Ｐ５、及びＰ６では、エコプリント処理が行われて、例えばブラックのモノクロの色で当該カラー画像領域Ｐ１、Ｐ２、Ｐ５、及びＰ６内の画像が印刷されている。
【０１４３】
また、領域大きさ判別部１５は、カラー画像領域の設定値が指定されていることを制御部１１が判別した場合（Ｓ７６でＹＥＳ）、プリントデータに基づいて、上記Ｓ７５で検出されたカラー画像領域Ｐ１、Ｐ２、Ｐ５、及びＰ６の各大きさを判別する（Ｓ７９）。
【０１４４】
続いて、領域大きさ判別部１５は、大きさを判別したカラー画像領域が二つ以上存在するか否かについて判別する（Ｓ８０）。そして、対象範囲検出部１３は、大きさを判別したカラー画像領域が一つであることを領域大きさ判別部１５が判別したときは（Ｓ８０でＮＯ）、当該カラー画像領域の大きさが上記Ｓ８で指定された設定値以上か否かについて判別する（Ｓ８１）。その後、対象範囲検出部１３は、カラー画像領域の大きさが設定値未満であることを判別したときは（Ｓ８１でＮＯ）、当該カラー画像領域はエコプリント対象範囲に該当しないと判断して、処理を終了する。
【０１４５】
一方、対象範囲検出部１３は、カラー画像領域の大きさが設定値以上であることを判別したときは（Ｓ８１でＹＥＳ）、当該カラー画像領域を、エコプリント対象範囲として検出する（Ｓ８２）。そして、制御部１１は、Ｓ８２でエコプリント対象範囲として検出したカラー画像領域のデータ部分に基づくエコプリント処理を印刷部２２に行わせ、当該エコプリント対象範囲以外の領域のデータ部分に基づく上記通常のプリント処理を印刷部２２に行わせる（Ｓ８３）。
【０１４６】
また、領域大きさ判別部１５は、大きさを判別したカラー画像領域が二つ以上であることを判別したときは（Ｓ８０でＹＥＳ）、隣接する二つのカラー画像領域の離間距離が予め定められた距離よりも小さいかどうかを判別する（Ｓ８４）。そして、領域大きさ判別部１５は、隣接する二つのカラー画像領域の離間距離が予め定められた距離よりも小さいことを判別すれば（Ｓ８４でＹＥＳ）、当該二つのカラー画像領域を一つのカラー画像領域と判定する（Ｓ８５）。一方、領域大きさ判別部１５は、隣接する二つのカラー画像領域の離間距離が予め定められた距離以上であることを判別すれば（Ｓ８４でＮＯ）、当該二つのカラー画像領域を、一つのカラー画像領域とは判定せずに、互いに独立した二つのカラー画像領域と判定する（Ｓ８６）。
【０１４７】
そして、領域大きさ判別部１５は、全てのカラー画像領域についての離間距離の判別処理が終了したか否かについて判別する（Ｓ８７）。そして、領域大きさ判別部１５は、全てのカラー画像領域についての離間距離の判別処理が終了していないことを判別すれば（Ｓ８７でＮＯ）、処理は上記Ｓ８４に戻って処理をやり直す。
【０１４８】
一方、領域大きさ判別部１５は、全てのカラー画像領域についての離間距離の判別処理が終了したことを判別すれば（Ｓ８７でＹＥＳ）、処理は上記Ｓ８１に進む。例えば、対象範囲検出部１３は、上記Ｓ７５で検出されたカラー画像領域Ｐ１、Ｐ２、Ｐ５、及びＰ６について、各二つのカラー画像領域の離間距離が予め定められた距離以上であると領域大きさ判別部１５が判別すると、上記Ｓ７９で判別したカラー画像領域Ｐ１、Ｐ２、Ｐ５、及びＰ６の各大きさが、上記Ｓ７８で指定された設定値以上か否かについて判別する（Ｓ８１）。その後、対象範囲検出部１３は、例えば、カラー画像領域Ｐ１の大きさが設定値未満であることを判別し、更にカラー画像領域Ｐ２、Ｐ５、及びＰ６の大きさが設定値以上であることを判別すると、カラー画像領域Ｐ２、Ｐ５、及びＰ６を、エコプリント対象範囲として検出する（Ｓ８２）。そして、制御部１１は、Ｓ８２でエコプリント対象範囲として検出されたカラー画像領域Ｐ２、Ｐ５、及びＰ６のデータ部分に基づくエコプリント処理を印刷部２２に行わせ、当該エコプリント対象範囲以外の領域のデータ部分に基づく上記通常のプリント処理を印刷部２２に行わせる（Ｓ８３）。この結果、図１３の記録紙Ｐに示したように、二点鎖線にて囲んだカラー画像領域Ｐ２、Ｐ５、及びＰ６では、エコプリント処理が行われて、例えばブラックのモノクロの色で当該カラー画像領域Ｐ２、Ｐ５、及びＰ６内の画像が印刷されている。
【０１４９】
また、テキスト検出部１７は、エコプリント処理条件でテキストが指定されていることを制御部１１が判別した場合（Ｓ７４でＮＯ）、上記Ｓ７１で受信したプリントジョブファイルに含まれたプリントデータに基づいて、当該プリントデータでのテキストの領域（カラー画像領域以外の領域）を検出する（Ｓ９０）。これにより、図２８に示した原稿Ｇにおいて、テキストの領域Ｐ３、Ｐ４、Ｐ７、及びＰ８がテキスト検出部１７によって検出される。
【０１５０】
続いて、制御部１１は、エコプリント処理条件でテキストのフォントサイズについてのサイズ値が指定されているか否かについて判別する（Ｓ９１）。そして、対象範囲検出部１３は、サイズ値が指定されていないことを制御部１１が判別した場合（Ｓ９１でＮＯ）、上記Ｓ９０で検出されたテキストの領域Ｐ３、Ｐ４、Ｐ７、及びＰ８を、上記エコプリント対象範囲として検出する（Ｓ９２）。
【０１５１】
そして、制御部１１は、プリントデータに基づくプリント処理を印刷部２２に行わせる（Ｓ９３）。すなわち、制御部１１は、エコプリント対象範囲であるテキストの領域Ｐ３、Ｐ４、Ｐ７、及びＰ８の各データ部分に基づくエコプリント処理を印刷部２２に行わせ、当該エコプリント対象範囲以外の領域、すなわちカラー画像領域Ｐ１、Ｐ２、Ｐ５、及びＰ６の各データ部分に基づく上記通常のプリント処理を印刷部２２に行わせる。この結果、図１８の記録紙Ｐに示したように、二点鎖線にて囲んだテキストの領域Ｐ３、Ｐ４、Ｐ７、及びＰ８では、エコプリント処理が行われて、ブラックのトナーの消費量が低減された状態で当該テキストの領域Ｐ３、Ｐ４、Ｐ７、及びＰ８内のテキストが印刷されている。
【０１５２】
また、フォントサイズ判別部１８は、上記サイズ値が指定されていることを制御部１１が判別した場合（Ｓ９１でＹＥＳ）、プリントデータに基づいて、上記Ｓ９０で検出されたテキストの領域Ｐ３、Ｐ４、Ｐ７、及びＰ８の各テキストのフォントサイズを判別する（Ｓ９４）。
【０１５３】
続いて、対象範囲検出部１３は、判別されたテキストのフォントサイズが上記Ｓ９１で指定されたサイズ値以上か否かについて判別する（Ｓ９５）。その後、対象範囲検出部１３は、テキストのフォントサイズがサイズ値未満であることを判別したときは（Ｓ９５でＮＯ）、当該テキストはエコプリント対象範囲に該当しないと判断して、処理は後述のＳ９７に進む。
【０１５４】
一方、対象範囲検出部１３は、テキストのフォントサイズがサイズ値以上であることを判別したときは（Ｓ９５でＹＥＳ）、当該テキストを、エコプリント対象範囲として検出する（Ｓ９６）。そして、対象範囲検出部１３は、上記Ｓ９４でフォントサイズが判別された全てのテキストについて上記Ｓ９５の処理が終了したかどうかを判別する（Ｓ９７）。続いて、対象範囲検出部１３は、全てのテキストについて上記Ｓ９５の処理が終了していないことを判別すれば（Ｓ９７でＮＯ）、処理は当該Ｓ９５に戻って処理をやり直す。
【０１５５】
一方、制御部１１は、全てのテキストについてＳ９５の処理が終了したことを対象範囲検出部１３が判別すれば、プリントデータに基づくプリント処理を印刷部２２に行わせる（Ｓ９３）。例えば、対象範囲検出部１３は、テキストの領域Ｐ３のフォントサイズがサイズ値以上であることを判別し、更にテキストの領域Ｐ４、Ｐ７、及びＰ８のフォントサイズがサイズ値未満であることを判別すると、テキストの領域Ｐ３を、エコプリント対象範囲として検出する。そして、制御部１１は、エコプリント対象範囲として検出されたテキストの領域Ｐ３のデータ部分に基づくエコプリント処理を印刷部２２に行わせ、当該エコプリント対象範囲以外の領域のデータ部分に基づく上記通常のプリント処理を印刷部２２に行わせる。この結果、図２２の記録紙Ｐに示したように、二点鎖線にて囲んだテキストの領域Ｐ３では、エコプリント処理が行われて、ブラックのトナーの消費量が低減された状態で当該テキストの領域Ｐ３内のテキストが印刷されている。
【０１５６】
また、対象範囲検出部１３は、エコプリント処理条件に上記指定範囲が含まれていることを判別した場合（Ｓ７３でＮＯ）、当該エコプリント処理条件から指定範囲を取得する（Ｓ１００）。そして、対象範囲検出部１３は、取得した指定範囲をエコプリント対象範囲として検出する（Ｓ７７）。その後、制御部１１は、上記プリントデータに基づくプリント処理を印刷部２２に行わせる（Ｓ７８）。すなわち、制御部１１は、エコプリント対象範囲（指定範囲）であるカラー画像領域Ｐ５及びＰ６とテキストの領域Ｐ４及びＰ７との各データ部分に基づくエコプリント処理を印刷部２２に行わせ、この指定範囲以外の
カラー画像領域Ｐ１及びＰ２とテキストの領域Ｐ３及びＰ８との各データ部分に基づく上記通常のプリント処理を印刷部２２に行わせる。この結果、図３６に示す記録紙Ｐにおいて、同図３６に二点鎖線にて囲んだカラー画像領域Ｐ５及びＰ６とテキストの領域Ｐ４及びＰ７では、エコプリント処理が行われて、例えば対応する色のトナーの消費量が低減された状態で当該カラー画像領域Ｐ５及びＰ６内の画像と当該テキストの領域Ｐ４及びＰ７内のテキストが印刷されている。
【０１５７】
以上のように本実施形態では、画像形成装置１の対象範囲検出部１３は、通信部３３が情報処理装置２からプリントジョブファイルを受信した場合、当該プリントジョブファイルに含まれたエコプリント処理条件に従って、当該プリントジョブファイルに含まれたプリントデータでのエコプリント処理の対象とするエコプリント対象範囲を検出する。制御部１１は、検出されたエコプリント対象範囲について、エコプリント処理を印刷部２２に行わせる。このように、本実施形態では、上記従来例と異なり、画像形成装置１がデータに基づくプリント処理を行う場合において、ユーザーが所望する箇所だけを容易にエコプリント処理することを可能にする。
【０１５８】
＜変形実施形態＞
尚、上記第７実施形態では、プリンタードライバー部７３が、上記プリントデータと、エコプリント処理条件とを含んだプリントジョブファイルを作成し、当該プリントジョブファイルを画像形成装置１に送信する。そして、対象範囲検出部１３が、プリントジョブファイルに含まれたエコプリント処理条件に従って、プリントデータでのエコプリント処理の対象とするエコプリント対象範囲を検出していた。しかしながら、本発明はこれに限定されるものではなく、例えば、プリンタードライバー部７３が、プリント処理の対象となるドキュメントデータを、エコプリント処理条件に従って作成したプリントデータ、つまりエコプリント処理用に変換されたデータを含むプリントデータを含んだプリントジョブファイルを作成し、画像形成装置１に送信する。そして、画像形成装置１は、エコプリント対象範囲を検出することなく、プリンタードライバー部７３からプリントジョブファイルに基づくプリント処理を行う等にしてもよい。また、この場合には、画像形成装置１では、対象範囲検出部１３、カラー画像領域検出部１４、領域大きさ判別部１５、テキスト検出部１７、及びフォントサイズ判別部１８は、不要である。
【０１５９】
なお、上記実施形態において、図１乃至図３６を用いて上記実施形態により示した構成及び処理は、本発明の一実施形態に過ぎず、本発明を当該構成及び処理に限定する趣旨ではない。
【符号の説明】
【０１６０】
１        画像形成装置
１１      制御部（第１の制御部）
１２      表示制御部（第１の表示制御部）
１３      対象範囲検出部
１４      カラー画像領域検出部
１５      領域大きさ判別部
１６      矩形領域検出部
１７      テキスト検出部
１８      フォントサイズ判別部
２０      原稿読取部
２２      印刷部
３０      表示部（第１の表示部）
３１      タッチパネル（第１の操作受付部）
３２      操作部（第１の操作受付部）
３３      通信部（第１の通信部）
２        情報処理装置
７１      制御部
７２      表示制御部（第２の表示制御部）
７３      プリンタードライバー部
８０      操作部（第２の操作受付部）
８１      表示部（第２の表示部）
８２      タッチパネル（第２の操作受付部）
８３      通信部（第２の通信部）
１００    画像形成システム
【図１】
2018187870.tif 000003
【図２】
2018187870.tif 000004
【図３】
2018187870.tif 000005
【図４】
2018187870.tif 000006
【図５】
2018187870.tif 000007
【図６】
2018187870.tif 000008
【図７】
2018187870.tif 000009
【図８】
2018187870.tif 000010
【図９】
2018187870.tif 000011
【図１０】
2018187870.tif 000012
【図１１】
2018187870.tif 000013
【図１２】
2018187870.tif 000014
【図１３】
2018187870.tif 000015
【図１４】
2018187870.tif 000016
【図１５】
2018187870.tif 000017
【図１６】
2018187870.tif 000018
【図１７】
2018187870.tif 000019
【図１８】
2018187870.tif 000020
【図１９】
2018187870.tif 000021
【図２０】
2018187870.tif 000022
【図２１】
2018187870.tif 000023
【図２２】
2018187870.tif 000024
【図２３】
2018187870.tif 000025
【図２４】
2018187870.tif 000026
【図２５】
2018187870.tif 000027
【図２６】
2018187870.tif 000028
【図２７】
2018187870.tif 000029
【図２８】
2018187870.tif 000030
【図２９】
2018187870.tif 000031
【図３０】
2018187870.tif 000032
【図３１】
2018187870.tif 000033
【図３２】
2018187870.tif 000034
【図３３】
2018187870.tif 000035
【図３４】
2018187870.tif 000036
【図３５】
2018187870.tif 000037
【図３６】
2018187870.tif 000038